(57)【要約】【課題】  ダウンロード時またはダウンロード完了時に内容検索を考慮してファイル名やプロパティ名を自動的に付与する。【解決手段】  本発明は、Ｗｅｂページに含まれるリンクが示す、ダウンロード可能な取得対象の映像データをユーザに指定させ、取得対象データのファイルを含む、予め該取得対象データと関連付けられた初期メタデータを任意の方法により取得し、取得対象データへのリンクを含むＷｅｂページ内の文字列から、該リンクを示す取得対象データに関連する関連文字列を取得し、初期メタデータ及び関連文字列とに基づく情報を追加メタデータとしてメタデータＤＢに格納する。【選択図】  図１
2007041864.tif 000002
【特許請求の範囲】
【請求項１】
閲覧中のＷｅｂページ中のリンクからダウンロードした画像データ、映像データを含む各種データにメタデータと呼ばれる関連情報を付与するメタデータの取得・管理方法であって、
前記Ｗｅｂページに含まれるリンクが示す、ダウンロード可能な取得対象の映像データをユーザに指定させる取得対象データ指定ステップと、
前記取得対象データのファイルを含む、予め該取得対象データと関連付けられた初期メタデータを任意の方法により取得する初期メタデータ取得ステップと、
前記取得対象データへのリンクを含むＷｅｂページ内の文字列から、該リンクを示す取得対象データに関連する関連文字列を取得する関連文字列抽出ステップと、
前記初期メタデータ取得ステップにより取得した前記初期メタデータ及び前記関連文字列抽出ステップにより取得した前記関連文字列とに基づく情報を追加メタデータとしてメタデータＤＢに格納するメタデータＤＢ生成ステップと、
を行うことを特徴とするメタデータの取得・管理方法。
【請求項２】
前記関連文字列抽出ステップにおいて、
前記Ｗｅｂページにおける、前記取得対象データのリンク文字列の位置を基準として、該Ｗｅｂページ内の句読点で区切られた全てのセンテンスに対し、基準位置からの距離に基づくスコアを付与し、
それぞれのセンテンス内に含まれる単語に対して、該単語が含まれていたセンテンスのスコア及び該取得対象データのリンク文字列との比較結果に基づく重み係数を用いてスコアを付与し、該単語に付与されたスコアに基づいて取得する関連語を抽出する、
請求項１記載のメタデータの取得・管理方法。
【請求項３】
前記メタデータＤＢ生成ステップにおける、前記メタデータＤＢは、ダウンロードされた取得対象データのファイルのファイルパス、ファイル名、初期メタデータ、及び追加メタデータが関連付けられた管理テーブルを有する、
請求項１記載のメタデータの取得・管理方法。
【請求項４】
閲覧中のＷｅｂページ中のリンクからダウンロードした画像データ、映像データを含む各種データにメタデータと呼ばれる関連情報を付与するメタデータの取得・管理方法であって、
前記Ｗｅｂページに含まれるリンクが示す、ダウンロード可能な取得対象の映像データをユーザに指定させる取得対象データ指定ステップと、
前記取得対象データのファイル名を含む、予め該取得対象データと関連付けられた初期メタデータを任意の方法により取得する初期メタデータ取得ステップと、
前記取得対象データへのリンクを含むＷｅｂページ内文字列から、リンクの示す取得対象データに関する関連文字列を取得する関連文字列抽出ステップと、
前記初期メタデータ取得ステップにより取得された前記初期メタデータ及び、前記関連文字列抽出ステップにより取得された前記関連文字列とに基づく情報を追加メタデータとしてメタデータＤＢに格納する追加メタデータ取得ステップと、
前記初期メタデータ及び前記追加メタデータに基づき、前記取得対象データが前記メタデータＤＢにダウンロードされた後に検索可能なデータベースを構築するメタデータＤＢ生成ステップと、
前記追加メタデータ取得ステップにより取得した前記追加メタデータを前記メタデータＤＢに追加し、該メタデータＤＢを更新するメタデータＤＢ更新ステップと、
ユーザから入力された検索キーに基づいて、前記メタデータＤＢを検索する検索ステップと、
前記ユーザから任意に入力された編集指示に基づいて、前記メタデータＤＢを編集するメタデータＤＢ編集ステップと、
を行うことを特徴とするメタデータの取得・管理方法。
【請求項５】
閲覧中のＷｅｂページ中のリンクからダウンロードした画像データ、映像データを含む各種データにメタデータと呼ばれる関連情報を付与するメタデータの取得・管理装置であって、
前記Ｗｅｂページに含まれるリンクが示す、ダウンロード可能な取得対象映像データがユーザによって指定されると、該取得対象データのファイルを含む、予め該取得対象データと関連付けられた初期メタデータを任意の方法により取得する初期メタデータ取得手段と、
前記取得対象データへのリンクを含むＷｅｂページ内の文字列から、該リンクを示す取得対象データに関連する関連文字列を取得する関連文字列抽出手段と、
前記初期メタデータ取得ステップにより取得した前記初期メタデータ及び前記関連文字列抽出ステップにより取得した前記関連文字列とに基づく情報を追加メタデータとしてメタデータＤＢに格納するメタデータＤＢ生成手段と、
を有することを特徴とするメタデータの取得・管理装置。
【請求項６】
閲覧中のＷｅｂページ中のリンクからダウンロードした画像データ、映像データを含む各種データにメタデータと呼ばれる関連情報を付与するメタデータの取得・管理プログラムであって、
前記Ｗｅｂページに含まれるリンクが示す、ダウンロード可能な映像ファイルを含むデータをユーザに指定させる取得対象データ指定ステップと、
前記取得対象データのファイルを含む、予め該取得対象データと関連付けられた初期メタデータを任意の方法により取得する初期メタデータ取得ステップと、
前記取得対象データへのリンクを含むＷｅｂページ内の文字列から、該リンクを示す取得対象データに関連する関連文字列を取得する関連文字列抽出ステップと、
前記初期メタデータ取得ステップにより取得した前記初期メタデータ及び前記関連文字列抽出ステップにより取得した前記関連文字列とに基づく情報を追加メタデータとしてメタデータＤＢに格納するメタデータＤＢ生成ステップと、
を、コンピュータに実行させることを特徴とするメタデータの取得・管理プログラム。
【発明の詳細な説明】
【技術分野】
【０００１】
本発明は、メタデータ取得・管理方法及び装置及びプログラムに係り、特に、ネットワーク上のＷｅｂ情報中のリンクから、画像データ、映像データ等の各種データをダウンロードする機器及びシステム（例えば、パーソナルコンピュータ）において、メタデータと呼ばれる関連情報をファイルに付与するためのメタデータ取得・管理方法及び装置及びプログラムに関する。
【背景技術】
【０００２】
個人が所有するデータの中から、所望のデータを短時間に探したいという要求がある。例えば、録画、コピー、またはダウンロードの手段によって多くの映像データがディスクに保存されている状態において、映像を順次再生して内容を確認し、探す方法ではなく、文字列を入力とした映像データの検索を行い、すばやく所望の映像データに到達したという要求である。
【０００３】
この要求に対し、従来技術により以下の検索機能が提供されている。
【０００４】
・ファイル名を対象とした検索；
・ファイル取得日時を対象とした検索；
・ファイルのフォーマット（拡張子など）を指定することにより検索；
・ファイルの内部に記述されたプロパティ情報（作成日時、タイトル名、概要等）からの検索；
上記は全て既存のファイル管理アプリケーションの機能によって実現されている。
【０００５】
しかしながら、ネットワーク上から取得した映像データについては、一般に以下のような問題がある。
【０００６】
・プロパティが記載されていない場合がある；
・ファイル名が数値の羅列や略称となっており、映像の内容を的確に表せない記述となっている場合がある；
・そもそもファイル名に記述できる文字列に文字数等の制限がある；
このため、従来技術が提供する手段を用いて、文字列によって効果的に検索を行うためには、
・映像データを記憶媒体に取得した後、プロパティエディタなどを用いて関連情報を手作業で入力する作業；
・ダウンロード時に、映像データのファイル名を内容に関連するものに書き換える作業；
が必要である。即ち、映像データにかぎらず、予めそのデータに対する内容検索を行うことを考慮してデータのファイル名やプロパティを適切に記述する作業が必要である（例えば、非特許文献１参照）。
【非特許文献１】J. Ryu, Y. Sohn, and M. Kim, “MPEG-7 Metadata. Authoring Tool”, Proc. 10th ACM Int’l Conf. Multimedia, ACM Press, 2002, pp.267-270
【発明の開示】
【発明が解決しようとする課題】
【０００７】
本発明は、従来課題となっていたダウンロード時もしくは、ダウンロード完了時に内容検索を考慮してファイル名やプロパティを記述する作業を不要とする、メタデータ取得・管理方法及び装置及びプログラムを提供することを目的とする。
【課題を解決するための手段】
【０００８】
図１は、本発明の原理を説明するための図である。
【０００９】
本発明（請求項１）は、閲覧中のＷｅｂページ中のリンクからダウンロードした画像データ、映像データを含む各種データにメタデータと呼ばれる関連情報を付与するメタデータの取得・管理方法であって、
Ｗｅｂページに含まれるリンクが示す、ダウンロード可能な取得対象の映像データをユーザに指定させる取得対象データ指定ステップ（ステップ１）と、
取得対象データのファイルを含む、予め該取得対象データと関連付けられた初期メタデータを任意の方法により取得する初期メタデータ取得ステップ（ステップ２）と、
取得対象データへのリンクを含むＷｅｂページ内の文字列から、該リンクを示す取得対象データに関連する関連文字列を取得する関連文字列抽出ステップ（ステップ３）と、
初期メタデータ取得ステップ（ステップ２）により取得した初期メタデータ及び関連文字列抽出ステップ（ステップ３）により取得した関連文字列とに基づく情報を追加メタデータとしてメタデータＤＢに格納するメタデータＤＢ生成ステップ（ステップ４）と、を行う。
【００１０】
また、本発明（請求項２）は、請求項１の関連文字列抽出ステップ（ステップ３）において、
Ｗｅｂページにおける、取得対象データのリンク文字列の位置を基準として、該Ｗｅｂページ内の句読点で区切られた全てのセンテンスに対し、基準位置からの距離に基づくスコアを付与し、
それぞれのセンテンス内に含まれる単語に対して、該単語が含まれていたセンテンスのスコア及び該取得対象データのリンク文字列との比較結果に基づく重み係数を用いてスコアを付与し、該単語に付与されたスコアに基づいて取得する関連語を抽出する。
【００１１】
また、本発明（請求項３）は、請求項１のメタデータＤＢ生成ステップにおける、メタデータＤＢが、ダウンロードされた取得対象データのファイルのファイルパス、ファイル名、初期メタデータ、及び追加メタデータが関連付けられた管理テーブルを有する。
【００１２】
本発明（請求項４）は、閲覧中のＷｅｂページ中のリンクからダウンロードした画像データ、映像データを含む各種データにメタデータと呼ばれる関連情報を付与するメタデータの取得・管理方法であって、
Ｗｅｂページに含まれるリンクが示す、ダウンロード可能な取得対象の映像データをユーザに指定させる取得対象データ指定ステップと、
取得対象データのファイル名を含む、予め該取得対象データと関連付けられた初期メタデータを任意の方法により取得する初期メタデータ取得ステップと、
取得対象データへのリンクを含むＷｅｂページ内文字列から、リンクの示す取得対象データに関する関連文字列を取得する関連文字列抽出ステップと、
初期メタデータ取得ステップにより取得された初期メタデータ及び、関連文字列抽出ステップにより取得された関連文字列とに基づく情報を追加メタデータとしてメタデータＤＢに格納する追加メタデータ取得ステップと、
初期メタデータ及び追加メタデータに基づき、取得対象データがメタデータＤＢにダウンロードされた後に検索可能なデータベースを構築するメタデータＤＢ生成ステップと、
追加メタデータ取得ステップにより取得した追加メタデータをメタデータＤＢに追加し、該メタデータＤＢを更新するメタデータＤＢ更新ステップと、
ユーザから入力された検索キーに基づいて、メタデータＤＢを検索する検索ステップと、
ユーザから任意に入力された編集指示に基づいて、メタデータＤＢを編集するメタデータＤＢ編集ステップと、を行う。
【００１３】
図２は、本発明の原理構成図である。
【００１４】
本発明（請項５）は、閲覧中のＷｅｂページ中のリンクからダウンロードした画像データ、映像データを含む各種データにメタデータと呼ばれる関連情報を付与するメタデータの取得・管理装置であって、
Ｗｅｂページに含まれるリンクが示す、ダウンロード可能な取得対象映像データがユーザによって指定されると、該取得対象データのファイルを含む、予め該取得対象データと関連付けられた初期メタデータを任意の方法により取得する初期メタデータ取得手段と、
取得対象データへのリンクを含むＷｅｂページ内の文字列から、該リンクを示す取得対象データに関連する関連文字列を取得する関連文字列抽出手段と、
初期メタデータ取得ステップにより取得した初期メタデータ及び関連文字列抽出ステップにより取得した関連文字列とに基づく情報を追加メタデータとしてメタデータＤＢに格納するメタデータＤＢ生成手段と、を有する。
【００１５】
本発明（請求項６）は、閲覧中のＷｅｂページ中のリンクからダウンロードした画像データ、映像データを含む各種データにメタデータと呼ばれる関連情報を付与するメタデータの取得・管理プログラムであって、
Ｗｅｂページに含まれるリンクが示す、ダウンロード可能な映像ファイルを含むデータをユーザに指定させる取得対象データ指定ステップと、
取得対象データのファイルを含む、予め該取得対象データと関連付けられた初期メタデータを任意の方法により取得する初期メタデータ取得ステップと、
取得対象データへのリンクを含むＷｅｂページ内の文字列から、該リンクを示す取得対象データに関連する関連文字列を取得する関連文字列抽出ステップと、
初期メタデータ取得ステップにより取得した初期メタデータ及び関連文字列抽出ステップにより取得した関連文字列とに基づく情報を追加メタデータとしてメタデータＤＢに格納するメタデータＤＢ生成ステップとをコンピュータに実行させるプログラムである。
【発明の効果】
【００１６】
本発明では、映像データ等のダウンロード時に自動的に関連情報を取得し、また、映像データ等のファイル名を自動的に変換することで、映像データをネットワーク上から取得する際に、関連情報を周囲のテキストから自動的に取得し、また、ファイル名も自動的に変換される、あるいは、付与すべき関連情報が選択可能な状態で提示される。従って、本発明によって、映像データの内容に関連する文字列を容易にファイルに付与することが可能となる。結果として、映像データの内容に関連するキーワードを入力して映像データを探すことができるようになり、従来より所望の映像データに到達することが容易となる。
【発明を実施するための最良の形態】
【００１７】
以下、図面と共に本発明の実施の形態を説明する。
【００１８】
最初に以下の説明に用いる用語について説明する。
【００１９】
ネットワーク：インターネット、社内ネットワーク等の、物理的なネットワークケーブルもしくは、ワイヤレス通信によって情報環境が接続され、相互に情報伝送が可能となっている環境。
【００２０】
映像データ：放送受信装置または、ネットワークを介して記憶媒体へと格納されたテレビ番組等の動画像を含む情報。
【００２１】
記憶媒体：映像データを記憶することが可能なあらゆる装置（コンピュータのディスクやメモリ等、あるいは、ハードディスクレコーダ、セットトップボックス等）。
【００２２】
ダウンロード：ネットワーク上の記憶媒体から情報を移動または複製する処理。
【００２３】
初期メタデータ：ネットワーク上の映像データをユーザが取得しようとする時点で、ネットワーク上においてネットワーク上の映像データと共に存在し、関連付けられている情報（例えば、ファイル名、プロパティ）か、または映像データと共には存在しないが、関連付けすべき映像データを明確に指定する情報（例えば、電子番組表）。
【００２４】
ここで、初期メタデータの例を挙げる。
【００２５】
・映像データがどこかのHP（ホームページ）に貼り付けられており、ユーザがダウンロードする対象物を指定する際に画面上に表示されているアイコンが表す実体のファイル名；
・映像データのダウンロード時に“名前を付けて保存”のダイアログが立ち上がったときにデフォルトで付けられているファイル名・プロパティ；
・HP上に張り付いている映像データをユーザが右クリックし、“プロパティ”のダイアログボックスが立ち上がったときに表示される映像データの名前、製作者、フォーマット情報、概要等；
・HP上に電子番組表のリンクが貼り付けられているときに、リンクをクリックすることにより電子番組表がコンピュータ上に保存されると同時に、録画用プログラムが起動し、録画予約日時が自動的にセットされ、その後、予約録画された映像ファイルがダウンロードされた電子番組表と関連付けられる仕組みとなっている場合の当該電子番組表；
・特にユーザが意識して関連情報を追記することがない状態で、映像に関連して付与されている情報；
追加メタデータ：本発明で述べる手法を用いて映像データに付与する関連情報。
【００２６】
メタデータ：初期メタデータと追加メタデータの総称。
【００２７】
ブラウザ：HP等に代表されるネットワーク上の情報をユーザが閲覧する手段を提供するプログラム。
【００２８】
Ｗｅｂ情報：ＨＴＭＬ等の言語で記述され、ブラウザで閲覧可能なネットワーク上の情報。
【００２９】
Ｗｅｂページ：Ｗｅｂ情報の全部または一部であって、ブラウザの画面上に表示されたもの。
【００３０】
リンク：Ｗｅｂページ内のオブジェクト（テキスト、画像等）が、特定のＷｅｂ情報（例えば、Ｗｅｂページ内のテキストまたはオブジェクト、動画像、静止画像、別のＷｅｂページ内のオブジェクト等）に関連付けられているもの。 
以下の説明では、Ｗｅｂページ上のリンクから映像ファイルをパーソナルコンピュータ上にダウンロードする場合の例を説明する。
【００３１】
［第１の実施の形態］
本実施の形態では、請求項文中における「取扱映像データ」に相当するものを「映像データ」と記載する。
【００３２】
図３は、本発明の第１の実施の形態における装置構成を示す。
【００３３】
同図に示すメタデータ取得装置は、映像データ入出力部２０、記憶部３０、入出力部４０、処理部１００から構成される。
【００３４】
映像データ入出力部２０は、ネットワークに接続されている。
【００３５】
記憶部３０は、パーソナルコンピュータ（ＰＣ）内にあるディスクやメモリ等の記憶媒体であり、映像データ記憶部３１、関連情報記憶部３２、メタデータＤＢ３３を有する。
【００３６】
入出力部４０は、ＰＣ等のオペレータが利用するキーボードやマウス等の入力機能と、ディスプレイ等の出力機能を有する。
【００３７】
処理部１００は、情報取得部１１０、初期メタデータ取得部１２０、関連文字列抽出部１３０、取得情報提示部１４０、メタデータＤＢ生成部１５０、検索部１６０から構成される。
【００３８】
上記の構成における動作を以下に説明する。
【００３９】
図４は、本発明の第１の実施の形態における動作の概要を示すフローチャートである。
【００４０】
ステップ１１）  映像指定ステップ：
オペレータが入出力部４０からブラウザ等で閲覧している情報の中から、ダウンロードの対象となる映像データを指定する。具体的には、マウスカーソルで指示し、クリックすることにより、文字列及びリンク内に含まれる情報を取得する。取得された情報（映像ファイル名）は、メモリ（図示せず）に格納される。
【００４１】
ステップ１２）  初期メタデータ取得ステップ：
初期メタデータ取得部１２０において、ステップ１１で指定された映像データファイルの初期メタデータを取得し、メモリ（図示せず）に格納する。初期メタデータとしては、リンクのアドレス、タイトル、作成者、作成日時、ファイルサイズ、概要等がある。なお、初期メタデータの取得方法については特に限定しない。
【００４２】
ステップ１３）  関連文字列抽出ステップ：
次に、関連文字列抽出部１３０において、以下の処理を行う。
【００４３】
図５は、本発明の第１の実施の形態における関連文字列抽出ステップのフローチャートである。
【００４４】
ステップ１３１）  関連文字列抽出部１３０は、ステップ１１で指定された映像データのリンク文字列が含まれるＷｅｂページを読み込み、BODYの文字列及びリンク文字列中のAlt属性タグに指定された文字列を抽出する。
【００４５】
ステップ１３２）  関連文字列抽出部１３０は、ステップ１３１で抽出された文字列を句読点で先頭から順に複数の文字列に分割する。ここで、句読点が１つ以上あれば、この時点で複数の文字列が抽出されたことになる。また、文字列のうちの少なくとも１つは、リンク文字列を等しいか、または、リンク文字列を含んでいることになる。分割されたそれぞれの文字列に対し、ページの先頭からリンク文字列を含む文字列Ｘに至るまでの距離（文字数）に応じた数（ｍ）を付与し、文字列Ｘとｍからなる一組の形式として出力する。
【００４６】
ステップ１３３）  関連文字列抽出部１３０は、ステップ１３１で得られる文字列及びステップ１３２で得られる位置情報に基づいて、リンク先のファイルの関連語を取得し、メモリ（図示せず）に格納する。
【００４７】
ステップ１４）  取得情報提示ステップ：
取得情報提示部１４０において、以下の処理を行う。
【００４８】
図５は、本発明の第１の実施の形態における取得情報提示ステップのフローチャートである。
【００４９】
ステップ１４１）  取得情報提示部１４０は、ステップ１２で取得し、初期メタデータ取得部１２０のメモリ（図示せず）から初期メタデータを読み出して、入出力部４０のディスプレイに表示する。
【００５０】
ステップ１４２）  取得情報提示部１４０は、ステップ１３で取得し、関連文字列抽出部１３０のメモリ（図示せず）から文字列を読み出して入出力部４０のディスプレイに表示する。
【００５１】
ステップ１４３）  取得情報提示部１４０は、ステップ１４２でディスプレイに表示した複数の文字列（初期メタデータ）からユーザにファイル名を選択させ、取得する。
【００５２】
ステップ１４４）  取得情報提示部１４０は、ステップ１４２でディスプレイに表示された複数の文字列（関連情報）からユーザに関連情報を選択させ、取得する。
【００５３】
上記のようにして提示された画面例を図７に示す。
【００５４】
ステップ１５）  情報取得ステップ：
情報取得部１１０は、以下の処理を行う。
【００５５】
図８は、本発明の第１の実施の形態における情報取得ステップのフローチャートである。
【００５６】
ステップ１５１）  ステップ１１で指定され、メモリ（図示せず）に格納されている映像ファイル名に基づいて、映像データファイルをダウンロードし、記憶部３０の映像データ記憶部３１に保存する。
【００５７】
ステップ１５２）  ステップ１４３及びステップ１４４でそれぞれ指定されたファイル名及び関連情報を関連情報記憶部３２に保存する。
【００５８】
ステップ１６）  メタデータＤＢ生成ステップ：
メタデータＤＢ生成部１５０は、以下の処理を行う。
【００５９】
図９は、本発明の第１の実施の形態におけるメタデータ生成ステップのフローチャートである。
【００６０】
ステップ１６１）  メタデータＤＢ生成部１５０は、メタデータＤＢを記憶部３０上に作成する。メタデータＤＢ３３のカラムは、ファイル名、ファイルパス、初期メタデータ、関連情報からなる。ファイル名、関連情報については、関連情報記憶部３２から読み出して設定する。初期メタデータは、ステップ１２で取得され、初期メタデータ取得部１２０のメモリ（図示せず）に格納されているものを読み出して設定する。
【００６１】
ステップ１６２）  ステップ１６１で作成されたメタデータＤＢ３３に、ステップ１５１で映像データ記憶部３１に保存した映像データのファイルパス、及びステップ１５２で関連情報記憶部３２に保存した情報をメタデータＤＢ３３に追加する。
【００６２】
ステップ１７）  検索ステップ：
検索部１６０は、以下の処理を行う。
【００６３】
図１０は、本発明の第１の実施の形態における検索ステップのフローチャートである。
【００６４】
ステップ１７１）  検索部１６０は、入出力部４０からユーザにより指定された検索キーを取得する。
【００６５】
ステップ１７２）  ステップ１７１で得られた検索キーを用いて、ステップ１６で生成されたメタデータＤＢ３３を検索する。検索結果は、
ａ）初期メタデータに合致するものがある。
【００６６】
ｂ）初期メタデータに合致するものがなく、関連情報にのみ合致するものである。
の２種類に分けて出力する。
【００６７】
ステップ１７３）  ステップ１７２で出力された検索結果を１つの画面に集約して、入出力部４０のディスプレイに表示する。
【００６８】
次に、上記のステップ１３３の関連語取得ステップの処理について詳細に説明する。
【００６９】
図１１は、本発明の第１の実施の形態における関連語取得ステップの詳細なフローチャートである。
【００７０】
ステップ１３３１）  関連語情報抽出部１３０は、ステップ１２で取得した初期メタデータをメモリ（図示せず）から読み込む。
【００７１】
ステップ１３３２）  関連語情報抽出部１３０は、ステップ１３２で出力された［文字列Ｘ、ｍ］の複数の組を読み込み、それぞれの文字列に対する位置スコアを計算する。文字列Ｘ＝ｎの文字列の有する位置スコアＳｓ（ｎ）は、下記の式で与えられる。
【００７２】
Ｓｓ（ｎ）＝│ｍ−ｎ│＋１        （但し、ｎ＝１，２，…，Ｎ）
上記のスコアは、文字列Ｘと近い位置に存在する文字列（Ｎ個のいずれか）ほど、評価値スコアＳｓ（ｎ）が小さくなり、１に近づく。
【００７３】
ステップ１３３３）  関連語情報抽出部１３０は、ステップ１３３２で分割された文字列をそれぞれ品詞分解し、名詞及び未知語を抽出する。
【００７４】
ステップ１３３４）  関連語情報抽出部１３０は、ステップ１３３３で抽出された名詞に対し、重要度を計算する。なお、重要度の計算方法については、図１２において詳述する。
【００７５】
ステップ１３３５）  関連語情報抽出部１３０は、ステップ１３３４で計算された重要度に基づいてステップ１３３２で抽出された文字列をソートしてメモリ（図示せず）に格納する。
【００７６】
次に、上記のステップ１３３４の重要度の計算について詳細に説明する。
【００７７】
図１２は、本発明の第１の実施の形態における重要度計算のフローチャートである。
【００７８】
ステップ１３３４１）  ステップ１３３３で抽出された単語を入力する。
【００７９】
ステップ１３３４２）  ステップ１３３４１で入力された単語に対し、その単語の含まれていた文字列の位置スコアをステップ１３３２の結果より入力する。
【００８０】
ステップ１３３４３）  下記の式に基づいて、単語ｗのスコアＳ（ｗ）を評価する。単語スコアは、その単語を含む文字列の位置スコアを分母として、重みｄをかけたものであり、重みｄは、例えば、その単語がリンク文字列中の単語に含まれていればｄ＝１０とし、そうでない場合はｄ＝１とする（重みｄは可変である）。
【００８１】
【数１】
2007041864.tif 000003
但し、Ｓ（ｗ）は単語ｗに与えられるスコア、ｄは１以上の重み係数、Ｓｓ（ｎ）は単語ｗが含まれていた文字列Ｘ＝ｎの位置スコア、Ｗはステップ１３２で取得したAlt属性タグに指定された文字列を表す。初期値としてｄ＝１０とする。なお、重み係数ｄは変更可能な数値である。
【００８２】
ステップ１３３４４）  ステップ１３３４３で得られたスコアを出力する。
【００８３】
［第２の実施の形態］
図１３は、本発明の第２の実施の形態における装置構成を示す。
【００８４】
同図に示す構成は、図３の取得情報提示部１４０を含まない構成であり、その他の構成は図３と同様である。
【００８５】
図１４は、本発明の第２の実施の形態における動作の概要を示すフローチャートである。同図に示す動作は、図４に示すフローチャートのステップ１４の処理がなく、ステップ１５の処理のみが異なる。
【００８６】
当該ステップ１５は、映像データファイル保存ステップ（ステップ１５１）と、関連情報保存ステップ（１５２）からなる。
【００８７】
ステップ１５１において、情報取得部１０は、ステップ１１で、ユーザによって入出力部４０から指定され、メモリ（図示せず）に格納されている映像ファイル名に基づいて、映像データファイルをダウンロードし、映像データ記憶部３１に格納する。
【００８８】
ステップ１５２では、情報取得部１０は、ステップ１２で得られ、初期メタデータ取得部１２０のメモリ（図示せず）に保存されている初期メタデータを入力し、初期メタデータのうちタイトルを示すタグに情報があれば、ファイル名をタイトルを示すタグ内の情報に変更する。また、ステップ１３３５において、関連文字列抽出部１３０において、スコアが最大となる文字列を関連情報として、関連情報記憶部３２に保存する。
【００８９】
［第３の実施の形態］
図１５は、本発明の第３の実施の形態における装置構成を示す。
【００９０】
同図に示す構成は、第１の実施の形態における図３の構成にメタデータＤＢ編集部１７０が追加された構成である。
【００９１】
動作においても以下の動作以外は第１の実施の形態と同様である。
【００９２】
図１６は、本発明の第３の実施の形態におけるメタデータＤＢ編集ステップのフローチャートである。
【００９３】
当該メタデータＤＢ編集ステップ（ステップ１８）は、メタデータＤＢ編集部１７０において、ステップ１６で生成されたメタデータＤＢ３２の内容を、入出力部４０からユーザから入力された変更指示に基づいてエディタ等を介して、変更する。
【００９４】
なお、本発明は、上記に示した装置以外の機器（例えば、ハードディスクレコーダ）で実施することもできる。
【００９５】
また、本発明では、メタデータを取得する対象として、Ｗｅｂ情報中の映像データを主たる対象とした実施の形態を記載しているが、メタデータを自動的に取得し、管理するという方法において、対象は映像データに限定されることなく、画像や音声であってもよい。
【００９６】
また、上記の実施の形態では、Ｗｅｂページ上のリンクから映像データをパーソナルコンピュータ上にダウンロードする形態について記載したが、装置は個人端末に限定されない。例えば、映像配信用の大規模サーバ上で行うことも可能である。
【００９７】
なお、上記の装置の動作をプログラムとして構築し、メタデータ取得・管理装置として利用されるコンピュータに実行させる、または、ネットワークを介して流通させることが可能である。
【００９８】
なお、本発明は、上記の実施の形態に限定されることなく、特許請求の範囲内において種々変更・応用が可能である。
【産業上の利用可能性】
【００９９】
本発明は、Ｗｅｂページ上のリンクから映像データをパーソナルコンピュータ上にダウンロードする、または、映像配信用の大規模サーバから映像データをダウンロードする技術に適用可能である。また、ダウンロードする機器として、パーソナルコンピュータ以外の例えば、ハードディスクレコーダ等に適用することができる。
【図面の簡単な説明】
【０１００】
【図１】本発明の原理を説明するための図である。
【図２】本発明の原理構成図である。
【図３】本発明の第１の実施の形態における装置構成図である。
【図４】本発明の第１の実施の形態における動作の概要を示すフローチャートである。
【図５】本発明の第１の実施の形態における関連文字列抽出ステップのフローチャートである。
【図６】本発明の第１の実施の形態における取得情報提示ステップのフローチャートである。
【図７】本発明の第１の実施の形態における取得情報提示ステップの処理により表示された画面例である。
【図８】本発明の第１の実施の形態における情報取得ステップのフローチャートである。
【図９】本発明の第１の実施の形態におけるメタデータＤＢ生成ステップのフローチャートである。
【図１０】本発明の第１の実施の形態における検索ステップのフローチャートである。
【図１１】本発明の第１の実施の形態における関連語取得ステップの詳細なフローチャートである。
【図１２】本発明の第１の実施の形態における重要度計算のフローチャートである。
【図１３】本発明の第２の実施の形態における装置構成図である。
【図１４】本発明の第２の実施の形態における動作の概要のフローチャートである。
【図１５】本発明の第３の実施の形態における装置構成図である。
【図１６】本発明の第３の実施の形態における動作の概要のフローチャートである。
【符号の説明】
【０１０１】
２０  映像データ入出力部
３０  記憶部
３１  映像データ記憶部
３３  関連情報記憶部
３３  メタデータＤＢ
４０  入出力部
１００  処理部
１１０  情報取得部
１２０  初期メタデータ取得手段
１３０  関連文字列抽出手段、関連文字列抽出部
１４０  取得情報提示部
１５０  メタデータＤＢ生成手段、メタデータＤＢ製絵師部
１６０  検索部
１７０  メタデータＤＢ編集部
【図１】
2007041864.tif 000004
【図２】
2007041864.tif 000005
【図３】
2007041864.tif 000006
【図４】
2007041864.tif 000007
【図５】
2007041864.tif 000008
【図６】
2007041864.tif 000009
【図７】
2007041864.tif 000010
【図８】
2007041864.tif 000011
【図９】
2007041864.tif 000012
【図１０】
2007041864.tif 000013
【図１１】
2007041864.tif 000014
【図１２】
2007041864.tif 000015
【図１３】
2007041864.tif 000016
【図１４】
2007041864.tif 000017
【図１５】
2007041864.tif 000018
【図１６】
2007041864.tif 000019